(57)【要約】  ２軸のプレストレス補強（１３６、１６１）を有するセメント・モルタル・パネル（１０２、１３５、１６０、１９６、２１６）のこの機能システムは、とりわけ、２軸のプレストレス補強（１３６、１６１）を備えつつセメントモルタルで工場生産される形式のパネル（１０２、１３５、１６０、１９６、２１６）の最大の安全性及び効率性の条件のもとでの物理的及び形態並びにハンドリング及び使用に貢献するシステムであって、セメント・モルタル・パネルの塊に、パネルの集合体（１０２、１３５、１６０、１９６、２１６）に作用し、該パネルの集合体のハンドリング並びに／あるいは建物の構造からの吊り下げ手段、建物の地震現象及び沈下運動を制御する手段、建物内の湿気の水準を下げるための手段、及びパネルの内部への湿気の進入を減らすための手段への取り付けを可能にする多目的手段（１００、１５７、１７１、１７５、１９６、２１７）が埋め込まれているシステムを備えている。【選択図】図３
2012522153.tif 000002
【特許請求の範囲】
【請求項１】
建物構造の開口を閉鎖するために適しており、前記建物の中庭を画定しており、セメント・モルタル・パネルによって形成されており、前記パネルが２〜７ｃｍの厚さを有しており、２組のプレストレスケーブル（１０５）またはロッドによって形成される２軸のプレストレス補強（１３６、１６１）を備えており、１つの同じ組に属するケーブルまたはロッドが、互いに平行かつ等間隔である一方で、一方の組と他方の組とが互いに固定に取り付けられることなく互いに直角に交差して格子を形成している２軸のプレストレス補強を有するセメント・モルタル・パネルのための機能システムであって、
前記セメント・モルタル・パネルの塊に、前記パネル（１０２、１３５、１６０、１８１、１９６、２１６）のハンドリング並びに／あるいは建物の構造への吊り下げ手段（１２７、１３７、２１０、２２４）、建物の地震現象及び沈下運動を制御する手段、建物内の湿気を減らすための手段、及びパネルの内部への湿気の進入を減らすための手段への取り付けを可能にする前記パネル集合体（１０２、１３５、１６０、１８１、１９６、２１６）上の多機能手段（１００、１５７、１７１、１７５）が埋め込まれていることを特徴とする２軸のプレストレス補強を有するセメント・モルタル・パネルのための機能システム。
【請求項２】
前記パネル集合体（１０２）上の前記多機能手段が、２つの横アーム（１１２）が側方に位置する中央の直角アーチ（１１１）をΩ形にて形成している厚い平棒によって形成された長方形の本体によって構成され、
前記２つの横アーム（１１２）が、前記中央の直角アーチ（１１１）に関して対称かつ互いに同一平面に位置し、前記本体をモルタル内に保持する主たる保持手段（１０６）を形成しており、
前記中央の直角アーチ（１１１）の中央部が、ハンドリング手段（１０８）及びアンカ手段（１０７）を順次挿入するためのねじ山付きの貫通穴（１１４）を有しており、
前記集合体の寸法が、前記横アーム（１１２）を前記２軸の補強（１３６、１６１）が位置する前記パネル（１０２）の中央の内部領域に位置させることができるような寸法であることを特徴とする請求項１に記載の２軸のプレストレス補強を有するセメント・モルタル・パネルのための機能システム。
【請求項３】
鉄筋コンクリート構造を有する建物における建築パネルの吊り下げを容易にする目的を有する縦方向の垂直異形材（１３０）と水平方向の横部材異形材（１２８）とで形成された金属構造体を有しており、
鉄筋コンクリート構造の床構造スラブ（１３３）の縁（１３２）への安定な固定手段（１４０）が設けられる複数のクランプ（１２９）を備えており、前記複数のクランプ（１２９）の各々が、前記垂直異形材（１３０）を収容及び保持する同軸な垂直方向の案内列を形成するように、垂直方向に整列して前記縁（１３２）へと配置され、前記垂直異形材（１３０）が、横部材（１２８）によって互いに接続され、前記横部材（１２８）に前記建築パネルの背面に設けられた前記吊り下げ手段（１３７）が据えられて取り付けられることを特徴とする請求項２に記載の２軸のプレストレス補強を有するセメント・モルタル・パネルのための機能システム。
【請求項４】
前記クランプ（１２９）が、四角形のブシュ（１４２）またはリングによって形成され、前記ブシュ（１４２）が、前記ブシュ（１４２）を、前記垂直異形材（１３０）を垂直方向に通すために適した位置において前記床構造スラブ（１３３）の前記縁（１３２）へと固定する手段として、前記ブシュ（１４２）をブリッジ状の様相に構成する２つのラグ（１４１）を、前記ブシュ（１４２）の面のうちの１つと同一の平面に有しており、
前記クランプ（１２９）が、前記ブシュ（１４２）を建物の前記床構造スラブ（１３３）の前記縁（１３２）へと固定するための手段を備えると同時に、前記床構造スラブ（１３３）の前記縁（１３２）への前記ブシュ（１４２）の着座面とは反対側に位置する前記ブシュ（１４２）の前面が、垂直方向の長穴（１４５）を有していることを特徴とする請求項３に記載の２軸のプレストレス補強を有するセメント・モルタル・パネルのための機能システム。
【請求項５】
前記クランプ（１２９）が、折り曲げられた平棒部分によって形成され、
前記折り曲げられた平棒部分が、直角アーチを形成しつつ、建物の前記床構造スラブの縁への前記ブシュ（１４２）の水平固定手段を形成する２つの同一平面に位置する対称なラグ（１４１）へと、両自由端において直角に延びていることを特徴とする請求項４に記載の２軸のプレストレス補強を有するセメント・モルタル・パネルのための機能システム。
【請求項６】
前記閉鎖構造が、前記床構造スラブ（１４９）の厚さを覆う可撓な不浸透性シート（１５０）を介在させつつ前記床構造スラブ（１４９）の自由ファサード縁にわずかな張り出しにて長手方向に固定された第１の水平金属異形材（１５１）と、前記第１の水平金属異形材と同じであり、前記第１の水平金属異形材（１５１）の鏡像として前記床構造スラブ（１４９）の前記自由ファサード縁の下方にわずかな張り出しにて長手方向に固定された第２の金属異形材（１５２）とを備えており、２つの隣接階の床構造スラブ（１３３）の前記第１及び第２の金属異形材（１５１、１５２）が、規則的な間隔で配置されて前記異形材（１５１、１５２）へと固定される垂直金属異形材（１５３）によって互いに接続されているコンクリート構造における工場生産の２軸プレストレス・セメント・モルタル・ファサード・パネルに適用され、
前記垂直金属異形材（１５３）が、下端において、前記床構造スラブに取り付けられた前記第１の水平金属異形材（１５１）へとねじによって堅固に固定される一方で、前記垂直金属異形材（１５３）の前記上側の水平金属異形材（１５２）への取り付けが、或る程度自由なはまり合いの様相で、水平方向及び垂直方向にスライド可能であるようなやり方で、前記上側の水平金属異形材（１５２）に形成された垂直方向の長穴（１５５）を貫いて前記垂直金属異形材（１５３）の上端に固定され、頭部によって前記上側の水平金属異形材（１５２）に圧入されるセルフタップねじ、リベット、及びナットとボルトとからなるシステムによって形成されるグループの固定部材（１５６）によって達成され、前記長穴が、前記固定部材の直径よりも大きい幅であり、建物のコンクリート構造の床構造スラブの沈下について想定される安全マージンに等しい長さであることを特徴とする請求項１に記載の２軸のプレストレス補強を有するセメント・モルタル・パネルのための機能システム。
【請求項７】
前記上側の水平金属異形材（１５２）の側部（１５２Ｂ）に設けられる前記垂直方向の長穴（１５５）の長さＬが、前記垂直金属異形材（１５３）の上端と前記上側の水平金属異形材（１５２）の底壁との間に設けられる距離Ｄ以上であることを特徴とする請求項６に記載の２軸のプレストレス補強を有するセメント・モルタル・パネルのための機能システム。
【請求項８】
前記パネル集合体（１６０）上の多機能手段が、短くて太い本体（１５８、１７３、１７７）によって形成されたプラグ（１５７、１７１、１７５）によって形成されている事例に適用可能であり、
前記短くて太い本体（１５８、１７３、１７７）の側方領域に、前記側方領域の側面（１７２、１７６）の広がりを増し、前記本体（１５８、１７３、１７７）と前記本体が挿入された前記パネル（１６０）のセメントモルタルとの間に熱膨張及び／または熱収縮の結果として形成されうるすき間へと進入しうる湿気によって覆われるべき前記側面（１７２、１７６）上の距離を増す凹凸（１７４、１７８）が設けられていることを特徴とする請求項１に記載の２軸のプレストレス補強を有するセメント・モルタル・パネルのための機能システム。
【請求項９】
前記短くて太い本体（１５８、１７３、１７７）が、側方領域に、円錐形の表面、円柱形の表面、楕円形の表面、及びプリズム状の表面によって形成されるグループの構成を基本的に有していることを特徴とする請求項８に記載の２軸のプレストレス補強を有するセメント・モルタル・パネルのための機能システム。
【請求項１０】
前記プラグ（１７１）の短くて太い本体（１７３）の側方領域の前記表面の凹凸が、前記側面（１７２）から突き出している起伏（１７４）によって形成されていることを特徴とする請求項８に記載の２軸のプレストレス補強を有するセメント・モルタル・パネルのための機能システム。
【請求項１１】
前記プラグ（１７５）の短くて太い本体（１７７）の側方領域の前記表面の凹凸が、前記側面（１７２）よりも低い凹所（１７８）によって形成されていることを特徴とする請求項８に記載の２軸のプレストレス補強を有するセメント・モルタル・パネルのための機能システム。
【請求項１２】
前記プラグの短くて太い本体（１７３、１７７）の側方領域の前記表面の凹凸（１７４、１７８）の起伏が、環状の構成を有しており、前記プラグ（１７１、１７５）の短くて太い本体（１７３、１７７）の軸に垂直かつ互いに平行である平面に含まれていることを特徴とする請求項１０又は１１に記載の２軸のプレストレス補強を有するセメント・モルタル・パネルのための機能システム。
【請求項１３】
前記プラグ（１７１、１７５）の短くて太い本体（１５８、１７３、１７７）の側方領域の前記表面の凹凸（１７４、１７８）の起伏が、最小限の湿気の流れの方向を有するらせん形の経路を辿っていることを特徴とする請求項１０又は１１に記載の２軸のプレストレス補強を有するセメント・モルタル・パネルのための機能システム。
【請求項１４】
前記プラグ（１５７、１７１、１７５）とセメントモルタルとの間の露出した接触線を、封止の接合の構成を構成するワッシャ（１８０）で覆って閉じることができることを特徴とする請求項８に記載の２軸のプレストレス補強を有するセメント・モルタル・パネルのための機能システム。
【請求項１５】
建物のファサードが、完全に金属製の独立した構造（１８２）または鉄筋コンクリート構造（１８３）に組み合わせられた金属製の構造（１８２）へと固定されて前記パネル（１８１）と前記金属構造（１８２、１８３）との間に通気チャンバ（１８４）を形成する約３ｃｍの厚さを有する工場生産のセメント・モルタル・パネル（１８１）によって好ましくは形成される形式であるエコロジカルな特徴を有する建物の壁に特に適用可能であり、
前記ファサードの支持構造（１８２、１８３）が、金属製であっても、複合であっても、前記通気チャンバ（１８４）を形成する工場生産のファサードパネル（１８１）の背面に直面して前記通気チャンバの内側を構成する前面を有しており、前記前面が通気性のシート（１８５）によって完全に覆われており、前記シート（１８５）が、建物の内側の空気及び湿気に関してのみ、もっぱら建物の内側から前記通気チャンバ（１８４）へと向かうただ１つの方向に通気性であることを特徴とする請求項１に記載の２軸のプレストレス補強を有するセメント・モルタル・パネルのための機能システム。
【請求項１６】
前記通気性のシートを含んでいる前記支持構造（１８２、１８３）の前記前面とは反対側の面である前記支持構造（１８２、１８３）の後面に、撥水性かつ通気性のボード（１８８）が当接しており、前記ボード（１８８）に、やはり通気性である発泡モルタルの層（１８９）が、前記構造の後面に向かって前記当接面から突き出すように設けられていることを特徴とする請求項１５に記載の２軸のプレストレス補強を有するセメント・モルタル・パネルのための機能システム。
【請求項１７】
突き出した発泡モルタルの層（１８９）で一方の面が覆われている撥水性のボード（１８８）が、前記覆われた面にて、前記支持構造（１８２）のうちの前記通気性のシート（１８５）によって覆われた前面とは反対側の面である後面に当接していることを特徴とする請求項１５に記載の２軸のプレストレス補強を有するセメント・モルタル・パネルのための機能システム。
【請求項１８】
前記撥水性のボード（１８８）のうちの発泡モルタルの突き出し層（１８９）を有していない面に、２本の水平方向の「Ｕ字」形異形材及び２本の垂直方向の「Ｃ字」形異形材によって形成され、断熱材料からなるブランケット（１９２）を収容しており、随意により垂直材にケーブルまたは配管を通すための穴が設けられている支持フレーム（１９０）が当接していることを特徴とする請求項１５に記載の２軸のプレストレス補強を有するセメント・モルタル・パネルのための機能システム。
【請求項１９】
前記「Ｕ字」及び「Ｃ字」形異形材のフレーム（１８９）のうちの前記撥水性かつ通気性のボード（１８８）が当接している面とは反対側の面に、２枚の石膏ボード（１９３、１９４）を面同士で当接させてなるアセンブリが当接しており、前記アセンブリのうちの建物の内部に近い方のボード（１９４）が、通気性の塗装の層（１９５）で覆われていることを特徴とする請求項１８に記載の２軸のプレストレス補強を有するセメント・モルタル・パネルのための機能システム。
【請求項２０】
前記断熱材料のブランケット（１９２）が、自立した半剛体材料で構成され、おそらくは前記金属異形材のフレーム（１８９）の支持を必要とせずに、前記撥水性かつ通気性のボード（１８８）と前記石膏ボード（１９３、１９４）のアセンブリとの間に配置されていることを特徴とする請求項１８に記載の２軸のプレストレス補強を有するセメント・モルタル・パネルのための機能システム。
【請求項２１】
前記通気性の発泡モルタルの層（１８９）が、セルロース繊維、ロックウール、グラスファイバ、及び合成繊維によって形成されるグループの材料によって構成されていることを特徴とする請求項１６に記載の２軸のプレストレス補強を有するセメント・モルタル・パネルのための機能システム。
【請求項２２】
具体的には耐震装置であり、建物の構造（１９７）を閉鎖する工場生産のパネルが複数の固定部材によって前記構造（１９７）に対して配置され、前記複数の固定部材が、前記パネル（１９６、２１６）に埋め込まれて前記パネル（１９６、２１６）に固定された多目的プラグ（１９８、１９８Ａ、２１７）のねじ山付きの貫通穴（１１４）に一端においてナット（２０１、２２０）によって係合すると同時に、他端には前記建物の構造（１９７）へと固定に取り付けられた支持用の異形材（２１１、２２５）の溝（２１０、２２４）に一辺がはまり込む多角形の座板（２０９、２２３）が対応するナット（２０２、２２１）及びロックナット（２０３、２２２）によって取り付けられるねじ棒（２００）によって形成されている事例に特に適用可能であり、
前記建物の構造（１９７）へと固定に取り付けられた前記支持用の異形材（２１１、２２５）の溝（２１０、２２４）への前記多角形の座板（２０９、２２３）の着座を着脱可能に安定させるロック手段（２１２、２２６）を備えることを特徴とする請求項１に記載の２軸のプレストレス補強を有するセメント・モルタル・パネルのための機能システム。
【請求項２３】
前記ロック手段（２１２）が、建物の構造へと片持ち梁の様相で固定かつ着脱可能に取り付けられた保持用の異形材（２１３）によって形成され、前記多角形の座板（２０９）の着座を安定させるべく、前記建物の構造（１９７）へと固定に取り付けられた支持用の異形材の前記溝（２１０）に係合する前記多角形の座板（２０９）の辺とは反対側の一辺と係合するように、自由端に弾性的にたわみうる逆さ溝（２１４）を有していることを特徴とする請求項２２に記載の２軸のプレストレス補強を有するセメント・モルタル・パネルのための機能システム。
【請求項２４】
金属板片（２２７）によって形成されたロック手段（２２６）が、支持構造（１９７）に面している前記多角形の座板（２０９）の面に当接し、前記多角形の座板（２０９）の上縁をまたいで前記上縁からぶら下がっており、前記金属板片（２２７）は、前記多角形の座板（２０９）を固定するロックナット（２２２）を自由に突き出させる窓（２２８）を中央に有するとともに、直角なタブ（２２９）へと折り曲げられた下端を有しており、前記直角なタブ（２２９）が、一方では前記構造（１９７）へと固定に取り付けられた支持用の角張った異形材（２２５）の水平部分の上面に据えられ、他方では前記支持用の角張った異形材（２２５）の溝と支持構造（１９７）に固定に取り付けられた前記異形材（２２５）の垂直部分との間にぴったりとはまり込んだ前記異形材（２２５）の補強用の異形材（２３２）へと、前記異形材（２２５）の前記水平部分を介して固定に取り付けられることを特徴とする請求項２２に記載の２軸のプレストレス補強を有するセメント・モルタル・パネルのための機能システム。
【請求項２５】
前記金属板片（２２７）の窓（２２８）が、前記多角形の座板（２２３）の位置固定用の前記ロックナット（２２２）を突き出させることができ、かつ前記ロックナット（２２２）を前記多角形の座板（２２３）の位置を固定すべく操作するときに前記ロックナット（２２２）を回転させることができるような寸法を有していることを特徴とする請求項２４に記載の２軸のプレストレス補強を有するセメント・モルタル・パネルのための機能システム。
【請求項２６】
前記補強用の異形材（２３２）が、四角形の直角な管状の構成を有するとともに、前記支持用の角張った異形材（２２５）の長さの全体または規則的な間隔で位置する独立した複数の部分によって形成されるグループの不定の長さを占めることができる長さを有していることを特徴とする請求項２４に記載の２軸のプレストレス補強を有するセメント・モルタル・パネルのための機能システム。
【発明の詳細な説明】
【技術分野】
【０００１】
本発明は、２軸のプレストレス補強を有するセメント・モルタル・パネルのための機能システムに関する。本発明において、システムは、秩序だった様相で互いに関連付けられたときに前記パネルの全体としての良好な品質に貢献するアイテムの集合体であると理解される。他方で、機能は、システムの設計または構成に関してシステムの使用の容易さ、有用さ、及び便利さを追求するあらゆる事柄であると理解される。
【０００２】
正確には、本発明は、有体物からなるシステムで構成され、すなわちシステムの機能性、並びに集合体の物理的、形態的、及び機能的な構成に貢献する構成要素からなり、セメントモルタルで工場生産される形式のパネルに適用されたときに、最大の安全性及び効率性の状態での取り扱い及び使用を可能にするシステムで構成される。建物の建設において、パネルは、建物構造の開口（外部の開口及び内部の開口の両方）を閉鎖するためのものであり、外部の開口を閉じる場合には、ファサードを形成すべく装飾された可視面を有し、内部の開口を閉じる場合には、可視面に装飾を必要とせず、建物の中庭を画定する。パネルは、２〜７ｃｍの厚さを有するセメント・モルタル・パネルによって形成され、そのようなセメント・モルタル・パネルが、２組のプレストレスケーブルまたはロッドによって形成される２軸のプレストレス補強を備えており、１つの同じ組に属するケーブルまたはロッドが、互いに平行かつ等間隔である一方で、一方の組と他方の組とが、互いに固定に取り付けられることなく互いに直角に交差し、補強の格子を形成している。
【背景技術】
【０００３】
本出願の出願人は、２軸の補強を有する工場生産のセメント・モルタル・パネルであって、機能システムの種々の構成要素を備えており、そのような機能システムの種々の構成要素が同様の機能的特徴または革新的な特徴を有する新たな構成要素と互換または交換可能であるセメント・モルタル・パネルに関する国際特許出願ＰＣＴ／ＥＳ２００７／０００７０６（ＷＯ２００８／１３９００３という番号で公開済み）の所有者である。
【発明の概要】
【０００４】
上述の国際特許出願においては、対象となるセメント・モルタル・パネルに改善された快適状態を持たせると同時に、セメント・モルタル・パネルの安定性及び安全性の特徴を向上させる特定の態様または構成要素が、機能システムに含まれていない。
【０００５】
上記機能システムの品質を軽く扱うことなく、多機能手段などの以前のシステムの構成要素のいくつかを、パネルの外面に及ぼす影響がより少なくなり、かつ気候条件によりよく耐えるように構成し、建物の構造への吊り下げ手段に、建物の地震現象及び沈下運動を制御する手段並びに建物の内部の湿気を減らすための手段を備える技術的解決策が採用される。
【０００６】
上述の技術的解決策によれば、セメント・モルタル・パネルのハンドリング並びに／あるいは建物の構造への吊り下げ手段、建物の地震現象及び沈下運動を制御する手段、建物内の湿気を減らすための手段、及びパネルの内部への湿気の進入を減らすための手段への取り付けを可能にするパネル集合体上の多機能手段がセメント・モルタル・パネルの塊に埋め込まれているセメント・モルタル・パネルで基本的に構成される本発明の主題の機能システムが開発される。
【０００７】
本発明の特徴は、パネル集合体のハンドリング及び／または建物の構造への吊り下げ手段への取り付けを可能にするパネル集合体上の多機能手段が、２つの横アームが側方に位置する中央の直角アーチをΩ形にて形成している厚い平棒によって形成された長方形の本体によって構成され、前記２つの横アームが、前記中央の直角アーチに関して対称かつ互いに同一平面に位置し、前記本体をモルタル内に保持する主たる保持手段を形成しており、前記中央の直角アーチの中央部が、ハンドリング手段及びアンカ手段を順次挿入するためのねじ山付きの貫通穴を有しており、前記集合体の寸法が、前記横アームを前記２軸の補強が位置する前記パネルの中央の内部領域に位置させることができるような寸法であることにある。
【０００８】
縦方向の垂直異形材と水平方向の横部材異形材とで形成された金属構造体に適しており、鉄筋コンクリート構造を有する建物における建築パネルの吊り下げを容易にする目的を有している本発明のさらなる特徴は、鉄筋コンクリート構造の床構造スラブの縁への安定な固定手段が設けられる複数のクランプを配置することからなり、該クランプの各々が、前記垂直異形材を収容及び保持する同軸な垂直方向の案内列を形成するように、垂直方向に整列して前記縁へと配置され、前記垂直異形材が横部材によって互いに接続され、該横部材に前記建築パネルの背面に設けられた前記吊り下げ手段が据えられて取り付けられる。
【０００９】
上記に関連したさらなる特徴は、１つの場合において、前記クランプが、四角形のブシュまたはリングによって形成され、該ブシュが、該ブシュを前記垂直異形材を垂直方向に通すために適した位置において床構造スラブの前記縁へと固定する手段として、該ブシュをブリッジ状の様相に構成する２つのラグを、該ブシュの面のうちの１つと同一の平面に有しており、該ラグが、前記ブシュを建物の床構造スラブの前記縁へと固定するための手段を備える旨を指定する。同時に、床構造スラブの前記縁への前記ブシュの着座面とは反対側に位置する前記ブシュの前面が、垂直方向の長穴を有している。別の場合には、前記クランプが、折り曲げられた棒部分によって形成され、該折り曲げられた棒部分が、直角アーチを形成しつつ、建物の床構造スラブの縁への前記ブシュの水平固定手段を形成する２つの同一平面に位置する対称なラグへと、両自由端において直角に延びている。
【００１０】
本発明のさらなる特徴は、パネル集合体のハンドリング及び／または建物の構造への吊り下げ手段への取り付けを可能にするパネル集合体上の多機能手段が、短くて太い本体によって形成されたプラグによって形成される事例に適用できる。それによると、前記短くて太い本体において、前記保持手段と前記パネルの隠れ面の表面と同一平面に位置する端部領域を有するアンカ手段との間の側方領域が、該側方領域の表面積を増加させ、該本体と該本体が挿入された前記パネルのセメントモルタルとの間に熱膨張及び／または熱収縮の結果として形成されうるすき間へと進入しうる湿気によって覆われるべき前記側面上の距離を増す凹凸が設けられた側面領域を有する。
【００１１】
上記に関係する本発明のさらなる特徴は、以下で構成される。
【００１２】
１．  前記短くて太い本体が、側方領域に、円錐形の表面、円柱形の表面、楕円形の表面、及びプリズム状の表面によって形成されるグループの構成を基本的に有している。
【００１３】
２．  前記プラグの短くて太い本体の側方領域の前記表面の凹凸が、該側方領域の表面から突き出している起伏によって形成されている。
【００１４】
３．  前記プラグの短くて太い本体の側方領域の前記表面の凹凸が、該側方領域の表面よりも低い凹所によって形成されている。
【００１５】
４．  前記プラグの短くて太い本体の側方領域の前記表面の凹凸の突き出した起伏が、環状の構成を有しており、前記プラグの短くて太い本体の軸に垂直かつ互いに平行である平面に含まれている。
【００１６】
５．  前記プラグの短くて太い本体の側方領域の前記表面の凹凸の突き出した起伏が、最小限の湿気の流れの方向を有するらせん形の経路を辿っている。
【００１７】
６．  前記プラグとセメントモルタルとの間の露出した接触線を、封止の接合の構成を備えるワッシャで覆って閉じることができる。
【００１８】
建物のファサードが、完全に金属製の独立した構造または鉄筋コンクリート構造に組み合わせられた金属製の構造へと取り付けられて該金属構造との間に通気チャンバを形成する約３ｃｍの厚さを有する工場生産のセメント・モルタル・パネルによって好ましくは形成される形式であるエコロジカルな特徴を有する建物の壁に特に適用可能である本発明のさらなる特徴は、前記ファサードの支持構造が、金属製であっても、複合であっても、前記通気チャンバを形成する工場生産のファサードパネルの背面に直面して前記通気チャンバの内側を構成する前面を有しており、該前面が通気性のシートによって完全に覆われており、該シートが、建物の内側の空気及び湿気に関してのみ、もっぱら建物の内側から前記通気チャンバへと向かうただ１つの方向に通気性であるという事実によって定められる。
【００１９】
互いに密に関係し、かつ／あるいは上述の特徴に密に関係する本発明のさらなる特徴は、以下のとおりである。
【００２０】
１．  前記通気性のシートを含んでいる前記支持構造の前記前面とは反対側の面である該支持構造の後面に、撥水性かつ通気性のボードが当接しており、該ボードに、やはり通気性である発泡モルタルの層が、前記構造の前記後面に向かって前記当接面から突き出すように設けられている。
【００２１】
２．  突き出した発泡モルタルの層で一方の面が覆われている撥水性のボードが、該覆われた面にて、前記支持構造のうちの前記通気性のシートによって覆われた前面とは反対側の面である後面に当接している。
【００２２】
３．  前記撥水性のボードのうちの発泡モルタルの層を有していない面に、２本の水平方向の「Ｕ字」形異形材及び２本の垂直方向の「Ｃ字」形異形材によって形成され、断熱材料からなるブランケットを収容しており、随意により垂直材にケーブルまたは配管を通すための穴が設けられているフレームが当接している。
【００２３】
４．  前記「Ｕ字」及び「Ｃ字」形金属異形材のフレームのうちの前記撥水性かつ通気性のボードが当接している面とは反対側の面に、２枚の石膏ボードを面同士で当接させてなるアセンブリが当接しており、該アセンブリのうちの建物の内部に近い方のボードが、通気性の塗装の層で覆われている。
【００２４】
５．  前記断熱材料のブランケットが、自立した半剛体材料で構成され、おそらくは前記金属異形材のフレームの支持を必要とせずに、前記撥水性かつ通気性のボードと前記石膏ボードのアセンブリとの間に配置されている。
【００２５】
６．  前記通気性の発泡モルタルが、セルロース繊維、ロックウール、グラスファイバ、及び合成繊維によって形成されるグループの材料によって補強されている。
【００２６】
本発明のさらなる特徴を、建物の構造を閉鎖する工場生産のパネルが複数の固定部材によって該構造に対して配置され、該複数の固定部材が、前記パネルに埋め込まれて該パネルに取り付けられた多目的プラグのねじ山付きの貫通穴に一端においてナットによって係合すると同時に、他端には前記建物の構造へと固定に取り付けられた支持用の異形材の溝に一辺が係合する多角形の座板がナット及びロックナットによって固定に取り付けられるねじ棒によって形成されている事例に特に適用可能である耐震装置が、前記建物の構造へと固定に取り付けられた前記支持用の異形材の溝への前記多角形の板の着座を着脱可能に安定させるロック手段で構成されるという事実に見ることができる。
【００２７】
本発明の実施形態及び詳細を形成する本発明のさらなる特徴が後述される。
【００２８】
１．  前記ロック手段が、建物の構造へと張り出しの様相で着脱可能かつ固定に取り付けられた保持用の異形材によって形成され、前記多角形の板の着座を安定させるべく、前記建物の構造へと固定に取り付けられた支持用の異形材の前記溝に据えられる前記多角形の座板の辺とは反対側の一辺と係合するように、自由端に弾性的にたわみうる逆さ溝を有している。
【００２９】
２．  金属板片によって形成されたロック手段が、前記支持構造に面している前記多角形の板の面に当接し、該多角形の板の上縁をまたいで該上縁からぶら下がっており、前記金属板片は、前記多角形の座板を固定するロックナットを自由に突き出させる窓を中央に有するとともに、直角なタブへと折り曲げられた下端を有している。多角形のタブが、一方では前記構造へと固定に取り付けられた支持用の角張った異形材の水平部分の上面に据えられ、他方では前記支持用の角張った異形材の溝と支持構造に堅固に取り付けられた該異形材の垂直部分との間にぴったりとはまり込んだ該異形材の補強用の異形材へと、該支持用の角張った異形材の前記水平部分を介して固定に取り付けられる。
【００３０】
３．  前記金属板片の窓が、前記多角形の座板の位置固定用の前記ロックナットを突き出させることができ、かつ該ロックナットを前記多角形の座板の位置を固定すべく操作するときに該ロックナットを回転させることができるような寸法を有している。
【００３１】
４．  前記補強用の異形材が、四角形の直角な管状の構成を有するとともに、前記支持用の角張った異形材の長さの全体または規則的な間隔で位置する独立した部分を含むグループの不定の長さを占めることができる長さを有している。
【図面の簡単な説明】
【００３２】
以上の考え方の理解を容易にすると同時に、構成の性状の種々の詳細を開示するために、本発明の実施形態を、本明細書に添付の図面を参照して後述する。これらの図面は、根本的に例示にすぎないという性質に鑑み、請求される法的な保護の範囲を決して限定するものではないと理解されなければならない。
【図１】本発明による多目的プラグの実施形態の斜視図である。
【図２】多目的プラグに取り付けられたときにパネルのハンドリングを可能にする手段の実施形態の側面図である。
【図３】建物の支持構造へのパネルの固定点の部分断面側面図である。
【図４】図２のハンドリング手段などのハンドリング手段へと取り付けられたプラグが存在するパネルの地点の部分断面側面図である。
【図５】型から外されるときのパネルの構成の部分断面側面図である。
【図６】本発明の構造の一実施形態の断面図であり、クランプの一変種、いずれもクランプによって鉄筋コンクリートの建物構造の床構造スラブへと接続された垂直材及び横部材の一変種、並びに前記構造に吊り下げられた２軸のプレストレス補強を有するセメント・モルタル・パネルを見てとることができる。
【図７】鉄筋コンクリートの建物構造の床構造スラブの縁に取り付けられたクランプ及び該クランプに保持された垂直材（クランプを見易くするために破線で描かれている）の位置について、考えられる実施形態のうちの１つの詳細の斜視図である。
【図８】図７と同様、鉄筋コンクリートの建物構造の床構造スラブの縁に取り付けられたクランプ及び該クランプに保持された垂直材（クランプを見易くするために破線で描かれている）の位置について、考えられる実施形態のうちの第２の実施形態の詳細である。
【図９】同じ階の床構造スラブに取り付けられた上側及び下側水平金属異形材に関して、下端において下側水平金属異形材へと固定されたいくつかの金属垂直異形材の下端と、上端において上側水平金属異形材へと固定されたさらなるいくつかの金属垂直異形材とを示している床構造スラブの斜視図である。
【図１０】上側水平金属異形材の一地点に垂直金属異形材の上端を運動の可能性を持たせつつ取り付ける方法の詳細の断面図であり、鉄筋コンクリート構造の沈下が生じていない状況を示している。
【図１１】先の図に示した垂直金属異形材の上端の取り付け方法について、コンクリート構造の沈下運動が生じた後の断面図であり、前記上端が上側水平金属異形材の底壁のすぐ近くに位置している。
【図１２】本発明の実施形態よりも前の実施形態による短くて太い本体によって形成されたプラグを備えているセメント・モルタル・パネルの側面断面図である。
【図１３】図６と同様、本発明の実施形態による短くて太い本体によって形成されたプラグを示しており、凹凸がプラグの側方領域から突き出している。
【図１４】図７と同様、本発明の実施形態による短くて太い本体によって形成されたプラグを示しており、凹凸がプラグの側方領域の凹所を形成している。
【図１５】本発明の複合壁の実施形態の一部分の縦断面図である。
【図１６】先の図に示した複合壁と同様の複合壁の一部分について、外側から見た部分斜視及び順次断面図である。
【図１７】建物の支持構造に当接する２枚の隣接パネルの２つ固定点の部分断面側面図であり、いずれの固定点にも本発明の耐震装置が備えられている。
【図１８】本発明の主題による角張った支持断面におけるパネルの固定点の部分断面側面図である。
【図１９】金属薄板片の詳細の正面図であり、窓の配置及び多角形の座板の位置決めのための固定用ロックナットとの関係を見て取ることができる。
【発明を実施するための形態】
【００３３】
図１が、本発明に従って構成された多目的プラグ１００の好ましい実施形態を示している。多目的プラグ１００が、厚い平棒への連続的な打ち抜き（ｄｉｅ  ｓｔａｍｐｉｎｇ）及び折り曲げ（ｆｏｌｄｉｎｇ）の作業によって製作された単一の部品で形成されている。この目的は、直角Ωとして形成され、アンカ手段１０７を構成する中央の直角アーチ１１１を形成する長方形の物体を得ることにある。中央の直角アーチ１１１の側方に、保持手段１０６を構成する２つの横アーム１１２が位置している。これらの保持アーム１０６は、中央の直角アーチ１１１に関して対称であり、互いに同一平面にある。保持手段１０６が、モルタルの塊において、この長方形の物体の主たる保持手段を形成する。同様に、アンカ手段１０７として機能するこの中央の直角アーチ１１１の中央部１１３が、図２のハンドリング手段１０８及び図３の固定手段１０９を順次挿入するための中央のねじ山付きの貫通穴１１４を有している。
【００３４】
図３に示されるとおり、多目的プラグ１００は、パネル１０２の隠れ面１０４と同一平面に位置する中央部１１３の外面Ａと、同一平面に位置する２つの横アーム１１２の外面Ｂとの間に、これらの横アーム１１２を２軸補強のケーブル１０５またはロッドを見つけることができるパネル１０２の中央の内部領域に位置させることができるような寸法Ｄを有している。
【００３５】
これらの図は、長方形の物体が平棒によって形成され、好ましくは鋼などの鉄系材料（ただし、他の材料を除外するものではない）の平棒によって形成されることを示している。平棒を、一連の打ち抜き及びプレスの作業によって成形することができるが、決してロストワックス鋳造または他の方法による形成の可能性を除外するものではない。
【００３６】
多くの場合に、長方形の物体は、丸みを帯びた凸状及び凹状の横断エッジ１１５を有する単一の丈夫な部品で構成される。
【００３７】
図２が、パネル１０２のためのハンドリング手段１０８の実施形態を示している。ハンドリング手段１０８は、パネル１０２の成型段階において多目的プラグ１００をパネル１０２へと挿入するために、多目的プラグ１００に係合することで、多目的プラグ１００のハンドリングを可能にする。最後に、ハンドリング手段１０８は、図４に示されている位置にあるときに、パネル１０２の離型及び搬送を可能にする。
【００３８】
このパネル１０２のハンドリング手段１０８は、多目的プラグ１００の中央の直角アーチ１１１の中央部１１３に設けられたねじ山付きの貫通穴１１４に着脱可能に係合させることができるように一端１１７にねじ山が設けられている鋼棒１１６によって形成されている。ハンドリング手段１０８の他端には、図５に示されるように搬送装置１１９の把持具１１９Ａによる保持を可能にするための溝１１８が設けられている。最初の作業において、搬送装置１１９が、閉鎖板１２１（パネル１０２の形成用の型１２０の開放端を閉じる）によって閉じられた環境において、パネル１０２の形成用の型１２０内のテクスチャ板１２０Ａ上に配置された生のモルタルの塊の本体内に多目的プラグ１００を挿入する。後の作業において、ハンドリング手段１０８が、パネル１０２を型１２０から取り出し、硬化設備へと運び、硬化設備から保管場所及び／または作業現場へと運ぶことを可能にする。
【００３９】
図３に示されるとおり、パネル１０２を建物構造を形成すべく垂直材１１０に固定に取り付けられた横部材１２８に据え付ける作業において、固定部材１０９が、中央の直角アーチ１１１のねじ山付きの貫通穴１１４に挿入される。これらの固定部材１０９は、一端において中央の直角アーチ１１１の中央部１１３のねじ山付きの貫通穴１１４に係合して、ナット１２３によって固定されると同時に、他端には座板１２６（建物構造の垂直材１１０に固定に取り付けられた支持用の横異形材１２８の溝１２７に係合する）がそれぞれのナット１２４及びロックナット１２５によって取り付けられるねじ棒１２２によって形成されている。
【００４０】
図６が、考えられる建物構造１３４への適用を示しており、クランプ１２９の一変種と、垂直材１３０及び横部材１３１の一変種（すべてクランプ１２９を介して鉄筋コンクリートの建物構造１３４の床構造スラブ１３３の縁１３２に接続されている）と、この建物構造１３４に取り付けられた２軸のプレストレス補強１３６を有するセメント・モルタル・パネル１３５とを見て取ることができる。
【００４１】
横部材１３１は、外へと突き出す吊り下げ手段１３７を支持するために、或る場合には二重山形材（ｄｏｕｂｌｅ  ａｎｇｌｅ）の構成をとることができ、別の場合には、図１５及び図１６に示されるように、２軸のプレストレス補強１３６の間でパネル１３５に埋め込まれたプラグ１３９へと固定される吊り下げ手段１３７の座板１３８の挿入のための開口を上縁に有している平たい「Ｃ字」形レールの構成をとることができる。
【００４２】
同じ図６が、どのようにしてクランプ１２９が、クランプ１２９のラグ１４１を通過するくぎ１４０または他のコンクリートにおけるアンカ手段によって、床構造スラブ１３３の縁１３２に固定されるのかを示している。同時に、前記ラグ１４１に組み合わせられた四角形のブシュ１４２（図７及び図８を参照）に垂直材１３０が収容され、この四角形のブシュ１４２の前面１４４に設けられた長穴１４５を通過するアンカ部材１４３または他の手段によって、この四角形のブシュ１４２へと固定される。長穴１４５が、沈下運動の際に、ファサードパネルの配置に悪影響を及ぼすことなく、クランプ１２９の或る程度のスライドを可能にする。
【００４３】
図７は、クランプ１２９が、四角形のブシュ１４２を平棒１４６に固定に取り付けることによって形成されている事例を示している。平棒１４６の自由端が、ラグ１４１を形成し、ラグ１４１に、くぎ１４０によって鉄筋コンクリート建物構造１３４の床構造スラブ１３３の縁１３２へのアンカ手段を通すための穴が設けられている。四角形のブシュ１４２の前面１４４が、垂直材１３０の固定のための前記長穴１４５を有している。
【００４４】
図８は、正方形のアーチ１４８の形態の開いたブシュ１４２を形成し、両自由端において同一面に位置する対称な２つのラグ１４１へと垂直に延びている折り曲げられた平棒の一部分１４７によって、クランプ１２９Ａが形成されている事例を示している。さらに、両方のラグ１４１に、開いたブシュ１４２を建物構造の床構造スラブ１３３の縁１３２へと固定する手段を形成するくぎ１４０を通すための穴が設けられている。同時に、ブシュ１４２は、垂直材１３０を収容し、長穴１４５を貫くアンカ手段１４３によってしっかりと保持する。
【００４５】
図９が、例えばブチルなどのエラストマ材料で形成された可撓な不浸透性シート１５０を床構造スラブ１４９へと配置することからなる建造物のための閉鎖構造を実行する本発明によるやり方を示している。
【００４６】
このシート１５０が、上側の縁領域１５０Ａを床１４９に重ね、シート１５０の残りの部分を床構造スラブ１４９の縁の中央部１５０Ｂを覆うように垂らしつつ、もう一方の下方の縁領域１５０Ｃをそのままぶら下げて、床構造スラブ１４９へと取り付けられる。前記上側の縁部分１５０Ａが、床構造スラブ１４９の縁に対してわずかに張り出して設置され、ねじによって床構造スラブ１４９の縁へと固定される下部水平金属異形材１５１（上階の開口を基準に下部と呼ばれる）のための座として機能する。下部水平金属異形材１５１に対し、上部水平金属異形材１５２（下階の開口を基準に上部と呼ばれる）が同一平面の様相で対をなす。同時に、シート１５０の下側の縁領域１５０Ｃが、同じ階の床構造スラブ１４９の下面に位置する上部水平金属異形材１５２の側面を覆う。
【００４７】
２つの連続する階の床構造スラブ１４９の間の１つの同じ開口に位置する下部及び上部水平金属異形材１５１及び１５２が、垂直方向の金属異形材１５３を支持し、「Ｕ字」形の異形材として底壁１５１Ａ及び１５２Ａ並びに側部１５１Ｂ及び１５２Ｂをそれぞれ有している。
【００４８】
図９に示されるとおり、下部水平金属異形材１５１は、垂直金属異形材１５３の下端１５３Ａのための固定ねじを通すための穴１５４を、側部１５１Ｂに備えている。同時に、図１０及び図１１を参照すると、これらの垂直金属異形材１５３の上端１５３Ｂは、前記側部１５２Ｂを横切って設けられる２つの垂直方向の長穴１５５と、これらの垂直方向の長穴１５５を通過して垂直金属異形材１５３の上端１５３Ｂに固定されるねじ１５６とによって形成される機構によって、上部水平金属異形材１５２の対応する側部１５２Ｂへと固定される。これらのねじ１５６は、鉄筋コンクリート構造の建物の沈下によって引き起こされる応力の存在に起因する相互の運動を許容する任意の種類のねじ、リベット、ピン、または保持手段であってよい。
【００４９】
図１０が、垂直金属異形材１５３の上端１５３Ｂについて、上部水平金属異形材１５２の底壁１５２Ａまでの移動の可能性を有する固定の形態を示している。図示の状況において、床スラブ１４９の鉄筋コンクリート構造の沈下は生じていない。この状況において、上部水平金属異形材１５２の側部１５２Ｂに設けられた垂直方向の長穴１５５の長さＬは、建物の鉄筋コンクリート構造の沈下が生じる場合のために垂直金属異形材１５３の上端１５３Ｂと上部水平金属異形材１５２の底壁１５２Ａとの間に設けられる距離Ｄと同じか、あるいは距離Ｄよりも大きい。
【００５０】
図１１は、先の図に示した垂直金属異形材１５３の上端１５３Ｂの固定について、コンクリート構造の沈下運動の発生後の状態を示している。この状況において、前記上端１５３Ｂが上方に移動し、上部水平金属異形材１５２の底壁１５２Ａのすぐ近くに位置している。
【００５１】
図１２、図１３、及び図１４が、本発明の出願人の技術に従って製作され、２軸のプレストレス補強を有するセメント・モルタル・パネルを建物構造へと固定するための手段を構成するプラグの例を示している。この固定手段は、この固定手段の保持手段がモルタル塊においてプレストレス補強部材のわずかに下方かつパネルの可視面よりも手前に収容されるように、モルタル塊の硬化の前にモルタル塊へと、補強部材によって形成されるメッシュの内側に挿入される。次いで、建物構造への固定のための手段が、パネルの隠れ面の表面と同一面に位置する領域を有している。
【００５２】
図１２が、本発明の出願人によってすでに開示されたプラグ１５７を示しており、プラグ１５７が、パネル１６０を形成するセメントモルタル塊への保持手段１５９を有している短くて太い本体１５８によって形成されている。保持手段１５９が、２軸のプレストレス補強部材１６１に位置しており、パネル１６０の可視面１６２から離れている。同時に、本体１５８は、ねじ山付きの軸穴１６８をパネル１６０の隠れ面１６９の表面と同一面に位置する領域に備えているアンカ手段１６３を有している。本体１５８が先細りの側面１７０を有することで、パネル１６０への保持が改善されていることに注意すべきである。
【００５３】
図１３は、プラグの短くて太い本体１７３の側面１７２に、この側面１７２から突き出す起伏１７４が設けられている点を除き、図１２のプラグ１５７と同じ特徴を有しているプラグ１７１を示している。図示の場合には、起伏が環状の構成を有しているが、例えばらせん状の構成など、さらに他の構成をとることも可能である。
【００５４】
図１４が、プラグの短くて太い本体１７７の側面１７６に、この側面１７６の高さよりも低い凹所１７８が設けられている点を除き、図１２のプラグ１５７と同じ特徴を有しているプラグ１７５を示している。図示の場合には、凹所が環状の構成を有しているが、さらに例えばらせん状の構成など、他の構成をとることも可能である。
【００５５】
プラグ１５７、１７１、及び１７５とパネル１６０のセメントモルタルとの間の接触の露出線１７９を、シールガスケット手段を形成する弾性ワッシャ１８０で覆って閉じることができる。
【００５６】
側面から突き出すいくつかの起伏を、突き出さない他の起伏と組み合わせてもよい。同様に、短くて太い本体１５８、１７３、１７７は、いずれの場合も、基本的に、先細りの表面、円柱形の表面、楕円形の表面、及びプリズム状の表面を含むグループからなる構成を、側面の領域に有することができる。
【００５７】
図１５及び図１６は、好ましくはファサードが約３センチメートルの厚さを有する工場生産のセメント・モルタル・パネル１８１によって形成されている形式の複合壁を示している。工場生産によるパネル１８１が、独立した全金属製の支持構造または床構造スラブ１８３の形態を有する鉄筋コンクリート支持構造に組み合わせられた金属製の支持構造１８２へと固定され、通気チャンバ１８４が、前記パネル１８１と金属製の支持構造１８２との間に形成されている。
【００５８】
ファサードの支持構造１８２は、金属製であっても、複合であっても、通気シート１８５によって覆われた前面を有しており、そのような前面が、通気チャンバ１８４の内側を構成し、工場生産によるファサードパネル１８１の背面に面し、ファサードパネル１８１とともに前記通気チャンバ１８４を形成する。シート１８５は、建物の内部の空気及び湿気についてのみ通気性であり、建物の内部から通気チャンバ１８４へともっぱら一方通行である。
【００５９】
図に示され、図１６にさらに詳しく示される支持構造など、複合の支持構造１８２の場合には、床構造スラブ１８３が複合の支持構造の構造部分を形成する一方で、同じ構造の残りの金属部分１８２が、横部材としての「Ｕ字」形の金属異形材１８６によって形成されることに、注意すべきである。これらの金属異形材１８６は、２つの隣接する階の床構造スラブ１８３の向かい合う表面へと固定され、凹側が互いに面するように位置し、垂直材としての「Ｃ字」形の金属異形材１８７によって接続される。
【００６０】
撥水性の通気板１８８が、金属製の支持構造１８２の後面（通気シート１８５を備える表面とは反対側の表面）に接して配置される。板１８８は、やはり通気性である発泡モルタルの層１８９を、前記当接面から金属製の支持構造１８２にへと突き出させて備えている。
【００６１】
撥水通気板１８８は、発泡モルタルの層１８９を突き出させている面にて金属製の支持構造１８２に当接する一方で、他方の面にて「Ｃ字」形の金属異形材１９１の支持フレーム１９０に当接している。支持フレーム１９０は、内側に、前記撥水板１８８と平行に、自立する半剛体材料から製作され、前記支持フレーム１９０によってもたらされる支持を有さない可能性を可能にする断熱材料のブランケット１９２を保持している。
【００６２】
次いで、「Ｃ字」形の金属異形材１９１の前記支持フレーム１９０のうち、撥水性の通気板１８８が配置される面とは反対側の面に当接して、２枚の石こうボード１９３及び１９４を互いに当接させてなるアセンブリが配置され、とりわけ建物の内部に近い方のボード１９４が、通気性の塗料１９５の層によって覆われる。
【００６３】
通気性の発泡モルタル１８９は、セルロース繊維、ロックウール、グラスファイバ、及び合成繊維で形成されるグループの材料で補強される。
【００６４】
図１７に示されているように、パネル１９６及び１９６Ａを建物の構造１９７に据え付ける作業において、固定部材１９９が、Ω形の多目的プラグ１９８または円柱形の多目的プラグ１９８Ａのねじ穴に挿入される。これらの固定部材１９９は、一端においてΩ形の多目的プラグ１９８の中央の直角アーチの中央部のねじ穴または円柱形の多目的プラグ１９８Ａのねじ山付きの軸穴に係合して、ナット２０１によって固定されるねじ棒２００によって形成されている。同時に、いずれの場合も、固定部材１９９の他端に、対応するナット２０２及びロックナット２０３によって、建物の構造１９７へと固定に取り付けられた支持用の異形材２１１の溝２１０に係合する多角形の座板２０９が固定される。
【００６５】
ここまで、実用新案ＥＳ１０６８８６３の主題の応用を説明したが、以下で本発明の主題の説明を付け加える。上述のように、主題は、建物の構造１９７へと固定に取り付けられた支持用の異形材２１１の溝２１０への多角形の座板２０９の着座を着脱可能、弾性的、かつ可撓に安定させるロック手段２１２を配置することからなる。
【００６６】
前記ロック手段２１２は、建物の構造１９７へと片持ち梁の様相で着脱可能かつ固定に取り付けられる保持用の異形材２１３で構成される。弾性及び可撓性の状態において、保持用の異形材２１３は、自由端に逆さ溝２１４を有しており、この逆さ溝２１４が、多角形の座板２０９の一辺と係合する。この辺は、建物の構造１９７に固定に取り付けられた支持用の異形材２１１の溝２１０に据えられる辺とは反対側の辺である。
【００６７】
パネル１９６及び１９６Ａのこれらの組み立て状態のもとで、片持ち梁の様相の支持用の異形材２１１及び保持用の異形材２１３からなる構成が、その設置に、建物構造１９７におけるパネル１９６及び１９６Ａの安定性を阻害することなくパネル１９６及び１９６Ａのわずかな動きを可能にするための適切な弾性及び可撓性をもたらす。
【００６８】
当然ながら、支持用の異形材２１１及び保持用の異形材２１３を構造１９７へとねじ２１５によって固定することで、そのような異形材を同様の機能の他の部材と交換することができ、それによって、設置物をパネルの劣化の場合に容易に組み立て直すことができ、あるいは空間または外観のニーズに合わせて容易に改造することができる。
【００６９】
同様に、好ましくは長方形または正方形の形状を有する多角形の座板２０９は、他の構成をとることも可能であり、極端な場合には、辺の数が無限である多角形と考えられる円形の構成をとることができる。
【００７０】
また、多目的プラグは、ねじ棒２００を挿入するためのねじ穴または同等の部材を有する限りにおいて、上述した構成以外の構成であってよい。
【００７１】
図１８に示されるとおり、建物構造１９７へのパネル２１６の据え付け作業の一例においては、短くて太い本体を有する多目的プラグ２１７、Ω形の多目的プラグ、または他の同様の種類の多目的プラグのねじ穴に、一端において多目的プラグ２１７のねじ山付きの軸穴に係合してナット２２０によってプラグ２１７へと固定されるねじ棒２１９によって形成された固定部材２１８が挿入される。同様に、どちらの場合も、固定部材２１８の他端には、建物の構造１９７へと固定に取り付けられた支持用の角張った異形材２２５の溝２２４に係合する多角形の座板２２３が、それぞれのナット２２１及びロックナット２２２によって固定される。
【００７２】
やはりこれまでは、パネル２１６の固定点を既存の建物１９７に設置する方法を説明した。以下では、建物の構造１９７へと固定に取り付けられた支持用の角張った異形材２２５の溝２２４への多角形の座板２２３の着座を着脱可能かつ堅固に安定させるロック手段２２６を配置することからなる本発明の主題を説明する。
【００７３】
本発明の装置によれば、多角形の座板２２３に、この多角形の座板２２３の面Ａ（建物の支持構造１９７に面する表面）に当接し、この多角形の座板２２３の上縁Ｂに乗せられて上縁Ｂからぶら下がるロック手段２２６が設けられる。ロック手段２２６は、前記多角形の座板２２３を固定するためのロックナット２２２を自由に突き出させる窓２２８が中央に設けられ、かつ下端がタブ２２９を形成するように垂直に曲げられている金属薄板部品２２７で構成される。タブ２２９が、一方では、建物の構造１９７に固定に取り付けられた支持用の角張った異形材２２５の水平部分２３０の上面に据えられ、他方では、支持用の角張った異形材２２５の前記水平部分２３０を貫くねじ２３１または他の手段によって、支持用の角張った異形材２２５のための補強用の異形材２３２へと固定に取り付けられる。補強用の異形材２３２は、前記支持用の角張った異形材２２５の溝２２４と建物の構造へと固定に取り付けられた前記支持用の角張った異形材２２５の垂直部分２３３との間にはまり込みの様相で位置している。
【００７４】
図１９に示され、図１８から見て取ることができるように、金属薄板部品２２７の窓２２８は、多角形の座板２２４の位置の固定のためのロックナット２２２を突き出させることができ、前記多角形の座板２２３の位置を固定すべくロックナット２２２を操作するときに、このロックナット２２２を回転させることができる寸法を有している。
【００７５】
補強用の異形材２３２が、直角な四角形の管状の構成であって、支持用の角張った異形材２２５の全長によって形成されるグループのうちの或る長さまたは等間隔に位置する異形材２２５の複数の独立した部分を占めることができる不定の長さであることに、注意すべきである。同様に、別の種類の異形材も使用することができ、さらには支持用の角張った異形材２２５そのものから打ち抜かれ、溝２２４の壁へと進む水平部分２３０の直下に垂直に配置されるタブを使用することができる。
【図１】
2012522153.tif 000003
【図２】
2012522153.tif 000004
【図３】
2012522153.tif 000005
【図４】
2012522153.tif 000006
【図５】
2012522153.tif 000007
【図６】
2012522153.tif 000008
【図７】
2012522153.tif 000009
【図８】
2012522153.tif 000010
【図９】
2012522153.tif 000011
【図１０】
2012522153.tif 000012
【図１１】
2012522153.tif 000013
【図１２】
2012522153.tif 000014
【図１３】
2012522153.tif 000015
【図１４】
2012522153.tif 000016
【図１５】
2012522153.tif 000017
【図１６】
2012522153.tif 000018
【図１７】
2012522153.tif 000019
【図１８】
2012522153.tif 000020
【図１９】
2012522153.tif 000021
【国際調査報告】
2012522153.tif 000022
2012522153.tif 000023
2012522153.tif 000024
2012522153.tif 000025
2012522153.tif 000026
2012522153.tif 000027
2012522153.tif 000028
2012522153.tif 000029